(57)【要約】【課題】小型化を図りつつ、出射側偏光板の交換作業の簡単化を図る上で有利なプロジェクタ装置用の光学ユニットおよびプロジェクタ装置を提供する。【解決手段】光学ユニット５４は、第１、第２、第３の光変調器１８Ｒ、１８Ｇ、１８Ｂと、光合成プリズム２０と、第１乃至第３の出射側偏光板２２Ｒ、２２Ｇ、２２Ｂとを備えている。光学ユニット５４は、さらに、それら第１、第２、第３の光変調器１８Ｒ、１８Ｇ、１８Ｂ、光合成プリズム２０、第１乃至第３の出射側偏光板２２Ｒ、２２Ｇ、２２Ｂとが取り付けられる光合成部用ハウジング５６とを備えている。第１、第２、第３の出射側偏光板２２Ｒ、２２Ｇ、２２Ｂの取り付け面７２からの取り外しと取り付け面７２への接着を行うためのガイド部７４と取り出し口７６を光合成部用ハウジング５６に設けた。【選択図】図２１
2010211159.tif 000002
【特許請求の範囲】
【請求項１】
波長領域が異なる第１、第２、第３の光毎に設けられそれら光の偏光状態を画像情報に応じて調整して透過させる第１、第２、第３の光変調器と、
前記第１、第２、第３の光変調器から透過された第１、第２、第３の光が入射される第１、第２、第３の入射面と、前記第１、第２、第３の入射面に入射された第１、第２、第３の光を合成する合成部と、前記合成部で合成された光を出射する出射面とを有する光合成プリズムと、
前記第１の光変調器と前記第１の入射面との間に配置された第１の出射側偏光板と、
前記第２の光変調器と前記第２の入射面との間に配置された第２の出射側偏光板と、
前記第３の光変調器と前記第３の入射面との間に配置された第３の出射側偏光板と、
前記第１、第２、第３の光変調器と、光合成プリズムと、第１乃至第３の出射側偏光板とが取り付けられる光合成部用ハウジングとを備え、
前記光合成部用ハウジングは、前記光合成プリズムが取り付けられるプリズム用取り付け部と、前記プリズム用取り付け部に取り付けられた前記光合成プリズムの前記第１、第２、第３の入射面に対向する箇所に設けられた第１、第２、第３の側枠部とを有し、
前記第１、第２、第３の側枠部は、それぞれ前記第１、第２、第３の入射面に対向して前記第１、第２、第３の出射側偏光板が取り付けられる第１、第２、第３の偏光板用取り付け部と、前記第１、第２、第３の出射側偏光板が前記第１、第２、第３の入射面に対向する面と反対に面に対向して前記第１、第２、第３の光変調器が取り付けられる第１、第２、第３の光変調器用取り付け部とを有し、
前記第１、第２、第３の光変調器用取り付け部は、前記第１、第２、第３の出射側偏光板が、前記プリズム用取り付け部に取り付けられた前記光合成プリズムの前記第１、第２、第３の入射面に対して直交する方向からそれら第１、第２、第３の光変調器用取り付け部を通って前記第１、第２、第３の偏光板用取り付け部へ挿入できるように構成され、
前記第１、第２、第３の偏光板用取り付け部は、前記第１、第２、第３の出射側偏光板が粘着剤を介して接着される取り付け面と、前記取り付け面に取り付けられた前記第１、第２、第３の出射側偏光板と前記取り付け面との間に治具を挿入しそれら前記第１、第２、第３の出射側偏光板を前記取り付け面から剥がすためのガイド部と、剥がされた前記第１、第２、第３の出射側偏光板を、前記プリズム用取り付け部に取り付けられた前記光合成プリズムの前記第１、第２、第３の入射面に対して平行する方向から取り出す取り出し口とを備えている、
を備えるプロジェクタ装置用の光学ユニット。
【請求項２】
前記第１、第２、第３の出射側偏光板は矩形板状を呈し、
前記第１、第２、第３の偏光板用取り付け部は、前記第１、第２、第３の出射側偏光板の４辺に対応した４つの側部を有し、
前記取り付け面は、前記第１、第２、第３の出射側偏光板の対向する２辺を接着するように前記４つの側部のうちの２つの側部に設けられ、
前記ガイド部と前記取り出し口は、前記取り付け面が設けられた２つの側部を接続する１つの同じ側部に設けられている、
請求項１記載のプロジェクタ装置用の光学ユニット。
【請求項３】
前記第１、第２、第３の光変調器は矩形板状を呈し、
前記第１、第２、第３の光変調器用取り付け部は前記第１、第２、第３の光変調器の４隅を取り付けるように構成され、
前記光合成プリズムの前記第１、第２、第３の入射面から直交する方向から前記第１、第２、第３の光変調器を見た場合に、前記第１、第２、第３の偏光板用取り付け部の前記取り付け面は、前記第１、第２、第３の光変調器の外側に露出している、
請求項１記載のプロジェクタ装置用の光学ユニット。
【請求項４】
前記第１、第２、第３の入射面は矩形状を呈し、
前記第１、第２、第３の光変調器および前記第１、第２、第３の出射側偏光板は前記第１、第２、第３の入射面に対応した矩形板状を呈し、
前記第１、第２、第３の偏光板用取り付け部は、前記第１、第２、第３の出射側偏光板の４辺に対応した４つの側部を有し、
前記取り付け面は、前記第１、第２、第３の出射側偏光板の対向する２辺を接着するように前記４つの側部のうちの２つの側部に設けられ、
前記光合成プリズムは、前記第１、第２、第３の入射面、前記出射面に加えてそれら面を接続する上面と下面とを有し、
それら第１、第２、第３の入射面、出射面、上面、下面は矩形状を呈し、
前記第１、第２、第３の光変調器の４辺のうちの１辺からそれら第１、第２、第３の光変調器に接続されたフレキシブルプリント基板が突設され、
前記フレキシブルプリント基板が前記上面に位置するように前記第１、第２、第３の光変調器が前記第１、第２、第３の光変調器用取り付け部に取り付けられ、
前記ガイド部と前記取り出し口とが設けられた１つの側部は、前記下面の３辺に沿った側部である、
請求項１記載のプロジェクタ装置用の光学ユニット。
【請求項５】
前記第１、第２、第３の出射側偏光板は、前記光合成プリズムの前記第１、第２、第３の入射面に対向して配置されるプリズム側偏光板と、前記第１、第２、第３の光変調器に対向して配置される変調器側偏光板との２枚の偏光板で構成され、
前記第１、第２、第３の偏光板用取り付け部は、それぞれ前記取り付け面、前記ガイド部、前記取り出し口とからなるプリズム側偏光板用取り付け部と変調器側偏光板用取り付け部とを有している、
請求項１乃至４に何れか１項記載のプロジェクタ装置用の光学ユニット。
【請求項６】
前記プリズム側偏光板と前記変調器側偏光板とは同形同大の長方形で形成され、
前記第１、第２、第３の偏光板用取り付け部の前記プリズム側偏光板取り付け部と前記変調器側偏光板取り付け部において、前記プリズム側偏光板と前記変調器側偏光板とは、前記長方形の長辺方向を９０度回転させた状態で取り付けられる、
請求項４記載のプロジェクタ装置用の光学ユニット。
【請求項７】
前記第１、第２、第３の出射側偏光板は矩形板状を呈し、
前記第１、第２、第３の偏光板用取り付け部は、前記第１、第２、第３の出射側偏光板の４辺に対応した４つの側部を有し、
前記取り付け面は、前記第１、第２、第３の出射側偏光板の対向する２辺を接着するように前記４つの側部のうちの２つの側部に設けられ、
前記取り付け面は前記第１、第２、第３の出射側偏光板の辺に沿って延在しており、
前記ガイド部は、前記取り付け面の延在方向で仮想延長上を行くに従って前記取り付け面の仮想延長面から次第に離れる方向に変位する傾斜面で形成されている、
請求項１記載のプロジェクタ装置用の光学ユニット。
【請求項８】
前記第１、第２、第３の出射側偏光板は矩形板状を呈し、
前記第１、第２、第３の偏光板用取り付け部は、前記第１、第２、第３の出射側偏光板の４辺に対応した４つの側部を有し、
前記取り付け面は、前記第１、第２、第３の出射側偏光板の対向する２辺を接着するように前記４つの側部のうちの２つの側部に設けられ、
前記取り付け面は前記第１、第２、第３の出射側偏光板の辺に沿って延在しており、
前記ガイド部は、前記取り付け面の延在方向のうちの一方の端部に設けられ、
前記取り付け面の延在方向のうちの他方の端部に、前記第１、第２、第３の出射側偏光板と前記取り付け面との間に治具を挿入しそれら前記第１、第２、第３の出射側偏光板を前記取り付け面から剥がすための開口部が設けられている、
請求項１記載のプロジェクタ装置用の光学ユニット。
【請求項９】
前記第１、第２、第３の出射側偏光板は矩形板状を呈し、
前記第１、第２、第３の偏光板用取り付け部は、前記第１、第２、第３の出射側偏光板の４辺に対応した４つの側部を有し、
前記取り付け面は、前記第１、第２、第３の出射側偏光板の対向する２辺を接着するように前記４つの側部のうちの２つの側部に設けられ、
前記取り付け面は前記第１、第２、第３の出射側偏光板の辺に沿って延在しており、
前記ガイド部は、前記取り付け面の延在方向のうちの一方の端部に設けられ、
前記取り付け面の延在方向のうちの他方の端部に位置する前記側部の箇所に、前記第１、第２、第３の出射側偏光板の辺に当接してそれら第１、第２、第３の出射側偏光板の位置決めを行なう位置決め部が設けられている、
請求項１記載のプロジェクタ装置用の光学ユニット。
【請求項１０】
前記出射面に対応する前記光合成部用ハウジングの箇所に、投射用光学系が取着される投射用光学系取り付け部が設けられている、
請求項１記載のプロジェクタ装置用の光学ユニット。
【請求項１１】
光学ユニットを備え、
前記光学ユニットは、
波長領域が異なる第１、第２、第３の光毎に設けられそれら光の偏光状態を画像情報に応じて調整して透過させる第１、第２、第３の光変調器と、
前記第１、第２、第３の光変調器から透過された第１、第２、第３の光が入射される第１、第２、第３の入射面と、前記第１、第２、第３の入射面に入射された第１、第２、第３の光を合成する合成部と、前記合成部で合成された光を出射する出射面とを有する光合成プリズムと、
前記第１の光変調器と前記第１の入射面との間に配置された第１の出射側偏光板と、
前記第２の光変調器と前記第２の入射面との間に配置された第２の出射側偏光板と、
前記第３の光変調器と前記第３の入射面との間に配置された第３の出射側偏光板と、
前記第１、第２、第３の光変調器と、光合成プリズムと、第１乃至第３の出射側偏光板とが取り付けられる光合成部用ハウジングとを備え、
前記光合成部用ハウジングは、前記光合成プリズムが取り付けられるプリズム用取り付け部と、前記プリズム用取り付け部に取り付けられた前記光合成プリズムの前記第１、第２、第３の入射面に対向する箇所に設けられた第１、第２、第３の側枠部とを有し、
前記第１、第２、第３の側枠部は、それぞれ前記第１、第２、第３の入射面に対向して前記第１、第２、第３の出射側偏光板が取り付けられる第１、第２、第３の偏光板用取り付け部と、前記第１、第２、第３の出射側偏光板が前記第１、第２、第３の入射面に対向する面と反対に面に対向して前記第１、第２、第３の光変調器が取り付けられる第１、第２、第３の光変調器用取り付け部とを有し、
前記第１、第２、第３の光変調器用取り付け部は、前記第１、第２、第３の出射側偏光板が、前記プリズム用取り付け部に取り付けられた前記光合成プリズムの前記第１、第２、第３の入射面に対して直交する方向からそれら第１、第２、第３の光変調器用取り付け部を通って前記第１、第２、第３の偏光板用取り付け部へ挿入できるように構成され、
前記第１、第２、第３の偏光板用取り付け部は、前記第１、第２、第３の出射側偏光板が粘着剤を介して接着される取り付け面と、前記取り付け面に取り付けられた前記第１、第２、第３の出射側偏光板と前記取り付け面との間に治具を挿入しそれら前記第１、第２、第３の出射側偏光板を前記取り付け面から剥がすためのガイド部と、剥がされた前記第１、第２、第３の出射側偏光板を、前記プリズム用取り付け部に取り付けられた前記光合成プリズムの前記第１、第２、第３の入射面に対して平行する方向から取り出す取り出し口とを備えている、
プロジェクタ装置。
【発明の詳細な説明】
【技術分野】
【０００１】
本発明はプロジェクタ装置用の光学ユニットおよびプロジェクタ装置に関する。
【背景技術】
【０００２】
赤色、緑色、青色の光をそれぞれ画像情報によって変調する３つの透過型液晶表示器と、各透過型液晶表示器の光出射側に配置された３つの出射側偏光板と、各出射側偏光板から出射された光を合成して出射する光合成プリズムとを備えるプロジェクタ装置がある。
各出射側偏光板は保持部材に取り付けられている。
出射側偏光板の保持部材への取り付け構造として、バネ部材を用いて出射側偏光板を保持部材に取り付けるもの（特許文献１参照）、接着剤を用いて出射側偏光板を保持部材に取り付けるもの（特許文献２参照）が提案されている。
【先行技術文献】
【特許文献】
【０００３】
【特許文献１】特許第４０３３２１０号
【特許文献２】特許第３９５３０６７号
【発明の概要】
【発明が解決しようとする課題】
【０００４】
しかしながら、各出射側偏光板をバネ部材を用いて取り付ける場合には、各出射側偏光板に対応して多くのバネ部材が必要となることから、部品コストおよび組み立てコストの低減を図る上で、また、小型化を図る上で不利がある。
一方、各出射側偏光板を、接着剤を用いて取り付ける場合は、上記不具合を解消できるが、その都度、透過型液晶表示器を取り外さなければならず、交換作業が面倒であった。
近年、光源の高出力化に伴い、出射側偏光板の温度が高温となる傾向にあることから、使用時間の経過に伴って出射側偏光板が劣化しやすく、したがって、出射側偏光板の交換作業の簡単化が求められている。
しかしながら、上記従来技術では、小型化を図りつつ、出射側偏光板の交換作業の簡単化を図る上で不利があった。
本発明はこのような事情に鑑みなされたものであり、その目的は小型化を図りつつ、出射側偏光板の交換作業の簡単化を図る上で有利なプロジェクタ装置用の光学ユニットおよびプロジェクタ装置を提供することにある。
【課題を解決するための手段】
【０００５】
上述の目的を達成するため、本発明のプロジェクタ装置用の光学ユニットは、波長領域が異なる第１、第２、第３の光毎に設けられそれら光の偏光状態を画像情報に応じて調整して透過させる第１、第２、第３の光変調器と、前記第１、第２、第３の光変調器から透過された第１、第２、第３の光が入射される第１、第２、第３の入射面と、前記第１、第２、第３の入射面に入射された第１、第２、第３の光を合成する合成部と、前記合成部で合成された光を出射する出射面とを有する光合成プリズムと、前記第１の光変調器と前記第１の入射面との間に配置された第１の出射側偏光板と、前記第２の光変調器と前記第２の入射面との間に配置された第２の出射側偏光板と、前記第３の光変調器と前記第３の入射面との間に配置された第３の出射側偏光板と、前記第１、第２、第３の光変調器と、光合成プリズムと、第１乃至第３の出射側偏光板とが取り付けられる光合成部用ハウジングとを備え、前記光合成部用ハウジングは、前記光合成プリズムが取り付けられるプリズム用取り付け部と、前記プリズム用取り付け部に取り付けられた前記光合成プリズムの前記第１、第２、第３の入射面に対向する箇所に設けられた第１、第２、第３の側枠部とを有し、前記第１、第２、第３の側枠部は、それぞれ前記第１、第２、第３の入射面に対向して前記第１、第２、第３の出射側偏光板が取り付けられる第１、第２、第３の偏光板用取り付け部と、前記第１、第２、第３の出射側偏光板が前記第１、第２、第３の入射面に対向する面と反対に面に対向して前記第１、第２、第３の光変調器が取り付けられる第１、第２、第３の光変調器用取り付け部とを有し、前記第１、第２、第３の光変調器用取り付け部は、前記第１、第２、第３の出射側偏光板が、前記プリズム用取り付け部に取り付けられた前記光合成プリズムの前記第１、第２、第３の入射面に対して直交する方向からそれら第１、第２、第３の光変調器用取り付け部を通って前記第１、第２、第３の偏光板用取り付け部へ挿入できるように構成され、前記第１、第２、第３の偏光板用取り付け部は、前記第１、第２、第３の出射側偏光板が粘着剤を介して接着される取り付け面と、前記取り付け面に取り付けられた前記第１、第２、第３の出射側偏光板と前記取り付け面との間に治具を挿入しそれら前記第１、第２、第３の出射側偏光板を前記取り付け面から剥がすためのガイド部と、剥がされた前記第１、第２、第３の出射側偏光板を、前記プリズム用取り付け部に取り付けられた前記光合成プリズムの前記第１、第２、第３の入射面に対して平行する方向から取り出す取り出し口とを備えている。
また本発明のプロジェクタ装置は、光学ユニットを備え、前記光学ユニットは、波長領域が異なる第１、第２、第３の光毎に設けられそれら光の偏光状態を画像情報に応じて調整して透過させる第１、第２、第３の光変調器と、前記第１、第２、第３の光変調器から透過された第１、第２、第３の光が入射される第１、第２、第３の入射面と、前記第１、第２、第３の入射面に入射された第１、第２、第３の光を合成する合成部と、前記合成部で合成された光を出射する出射面とを有する光合成プリズムと、前記第１の光変調器と前記第１の入射面との間に配置された第１の出射側偏光板と、前記第２の光変調器と前記第２の入射面との間に配置された第２の出射側偏光板と、前記第３の光変調器と前記第３の入射面との間に配置された第３の出射側偏光板と、前記第１、第２、第３の光変調器と、光合成プリズムと、第１乃至第３の出射側偏光板とが取り付けられる光合成部用ハウジングとを備え、前記光合成部用ハウジングは、前記光合成プリズムが取り付けられるプリズム用取り付け部と、前記プリズム用取り付け部に取り付けられた前記光合成プリズムの前記第１、第２、第３の入射面に対向する箇所に設けられた第１、第２、第３の側枠部とを有し、前記第１、第２、第３の側枠部は、それぞれ前記第１、第２、第３の入射面に対向して前記第１、第２、第３の出射側偏光板が取り付けられる第１、第２、第３の偏光板用取り付け部と、前記第１、第２、第３の出射側偏光板が前記第１、第２、第３の入射面に対向する面と反対に面に対向して前記第１、第２、第３の光変調器が取り付けられる第１、第２、第３の光変調器用取り付け部とを有し、前記第１、第２、第３の光変調器用取り付け部は、前記第１、第２、第３の出射側偏光板が、前記プリズム用取り付け部に取り付けられた前記光合成プリズムの前記第１、第２、第３の入射面に対して直交する方向からそれら第１、第２、第３の光変調器用取り付け部を通って前記第１、第２、第３の偏光板用取り付け部へ挿入できるように構成され、前記第１、第２、第３の偏光板用取り付け部は、前記第１、第２、第３の出射側偏光板が粘着剤を介して接着される取り付け面と、前記取り付け面に取り付けられた前記第１、第２、第３の出射側偏光板と前記取り付け面との間に治具を挿入しそれら前記第１、第２、第３の出射側偏光板を前記取り付け面から剥がすためのガイド部と、剥がされた前記第１、第２、第３の出射側偏光板を、前記プリズム用取り付け部に取り付けられた前記光合成プリズムの前記第１、第２、第３の入射面に対して平行する方向から取り出す取り出し口とを備えている。
【発明の効果】
【０００６】
本発明によれば、第１、第２、第３の出射側偏光板の取り付け面からの取り外しと取り付け面への接着を行うためのガイド部と取り出し口を光合成部用ハウジングに設けた。
したがって、第１、第２、第３の光変調器を光合成部用ハウジングから取り外すことなく、第１、第２、第３の出射側偏光板の光合成部用ハウジングに対する交換を行うことができるため、小型化を図りつつ出射側偏光板の交換作業の簡単化を図る上で有利となる。
【図面の簡単な説明】
【０００７】
【図１】本実施の形態のプロジェクタ装置１０の構成を示す説明図である。
【図２】本実施の形態のプロジェクタ装置１０の要部の構成を示す説明図である。
【図３】本実施の形態の光学ユニット５４の斜視図である。
【図４】光合成部用ハウジング５６を上方から見た斜視図である。
【図５】光合成部用ハウジング５６を下方から見た斜視図である。
【図６】光合成部用ハウジング５６を後方から見た斜視図である。
【図７】図６のＡＡ線断面図である。
【図８】光合成部用ハウジング５６の平面図である。
【図９】図８のＡ矢視図である。
【図１０】図８のＢ矢視図である。
【図１１】図８のＣ矢視図である。
【図１２】図８のＤ矢視図である。
【図１３】図９のＥ矢視図である。
【図１４】光合成部用ハウジング５６の要部の拡大斜視図である。
【図１５】光合成部用ハウジング５６への光変調器の取り付け説明図である。
【図１６】光合成部用ハウジング５６への光変調器の取り付け説明図である。
【図１７】図１０のＦＦ線断面図である。
【図１８】図１７の要部拡大図である。
【図１９】出射側偏光板を光合成部用ハウジング５６に取り付ける作業の説明図である。
【図２０】図１６のＧ矢視図である。
【図２１】出射側偏光板を光合成部用ハウジング５６から取り外す作業の説明図である。
【発明を実施するための形態】
【０００８】
次に、本発明の実施の形態について図面を参照して説明する。
図１は本実施の形態のプロジェクタ装置１０の構成を示す説明図、図２は本実施の形態のプロジェクタ装置１０の要部の構成を示す説明図である。
プロジェクタ装置１０は、図１に示すように、光源部１２と、分離部１４と、第１、第２、第３の入射側偏光板１６Ｒ、１６Ｇ、１６Ｂと、第１、第２、第３の光変調器１８Ｒ、１８Ｇ、１８Ｂとを含んで構成されている。
また、プロジェクタ装置１０は、さらに、光合成プリズム２０と、第１、第２、第３の出射側偏光板２２Ｒ、２２Ｇ、２２Ｂと、投射光学系２４などを含んで構成されている。
光源部１２と、分離部１４と、第１、第２、第３の入射側偏光板１６Ｒ、１６Ｇ、１６Ｂとは、図示しないフレームに従来公知の取り付け部材を介して取り付けられている。
第１、第２、第３の光変調器１８Ｒ、１８Ｇ、１８Ｂと、光合成プリズム２０と、第１、第２、第３の出射側偏光板２２Ｒ、２２Ｇ、２２Ｂと、投射光学系２４とは、図３に示す光合成部用ハウジング５６を介して前記フレームに取り付けられている。
【０００９】
（光源部１２）
光源部１２は、光源２６、ＵＶカットフィルター２８、フライアイレンズ３０、ＰＳ変換素子３２、コンデンサレンズ３４などを含んで構成されている。
光源２６は、白色光を出射するものであり、光源２６としては、白色光を出射するウルトラハイプレッシャーランプなど、従来公知のさまざまなランプが採用可能である。
ＵＶカットフィルター２８は、光源２６の前方に設けられた光源２６から出射される紫外線の通過を阻止するものである。
フライアイレンズ３０は、ＵＶカットフィルター２８の前方に設けられ、ＵＶカットフィルター２８を透過した光の照度分布を均一化することで、第１、第２、第３の光変調器１８Ｒ、１８Ｇ、１８Ｂの有効面積内を均一に照明させるものである。
本実施の形態では、複数のフライアイレンズ３０が設けられている。
ＰＳ変換素子３２は、フライアイレンズ３０によって導かれた光の偏光方向を所定方向に揃えるものであり、具体的には、光の偏光成分のうちＳ偏光はそのまま透過させ、Ｐ偏光をＳ偏光に変換させて透過させるものである。
コンデンサレンズ３４はＰＳ変換素子３２から出射される光を収束させるものである。
【００１０】
（分離部１４）
分離部１４は、光源部１２からの光を波長領域が異なるＲ（赤色）の光、Ｇ（緑色）の光、Ｂ（青色）の光に分離するものであり、言い換えると、光源部１２からの光を波長領域が異なる第１、第２、第３の光に分離するものである。
分離部１４は、第１、第２のダイクロイックミラー３６、３８、第１、第２、第３の反射ミラー４０、４２、４４を含んでいる。
第１のダイクロイックミラー３６は、光源部１２から導かれた光のうち青色の波長領域の光を反射すると共に、緑色および赤色の波長領域の光を透過するものである。
第２のダイクロイックミラー３８は、第１のダイクロイックミラー３６を透過した光のうち緑色の波長領域の光を反射して第２の光変調器１８Ｇに導くと共に、赤色の波長領域の光を透過するものである。
【００１１】
第１の反射ミラー４０は、第１のダイクロイックミラー３６で分離された青色の波長領域の光Ｂを反射して第３の光変調器１８Ｂに導くものである。
第２の反射ミラー４２は、第２のダイクロイックミラー３８で分離された赤色の波長領域の光Ｒを反射して第３の反射ミラー４４に導くものである。
第３の反射ミラー４４は、第２反射ミラー３８によって導かれた赤色の波長領域の光Ｒを第１の光変調器１８Ｒに導くものである。
なお、図中、符号４６Ａ、４６Ｂは光Ｒについての光路長の補正を行うリレーレンズ、符号４８Ｒ、４８Ｇ、４８Ｂは光Ｒ、光Ｇ、光Ｂをそれぞれ収束するコンデンサレンズを示す。
なお、分離部１４は光源部１２からの光を赤色、緑色、青色の光に分離できればよいのであり、上述の構成に限定されるものではなく、従来公知のさまざまな構成が採用可能である。
【００１２】
（第１、第２、第３の入射側偏光板１６Ｒ、１６Ｇ、１６Ｂ）
第１、第２、第３の入射側偏光板１６Ｒ、１６Ｇ、１６Ｂは、分離部１４から出射される光Ｒ、光Ｇ、光Ｂの偏光成分をＳ波に揃えるものである。
なお、ＰＳ変換素子３２により光Ｒ、光Ｇ、光Ｂの偏光成分はＳ波に揃えられているが、分離部１４を構成するミラーやレンズを通過することで光Ｒ、光Ｇ、光Ｂの偏光成分には乱れが生じＳ波でないものを含んでいる。
したがって、第１、第２、第３の入射側偏光板１６Ｒ、１６Ｇ、１６Ｂを用いることで光Ｒ、光Ｇ、光Ｂの偏光成分の乱れを除去しＳ波に揃えている。
なお、ＰＳ変換素子３２を用いていることから、第１、第２、第３の入射側偏光板１６Ｒ、１６Ｇ、１６Ｂに導かれる光は多少の偏光成分に乱れがあるものの、概ねＳ波に揃えられている。
そのため、第１、第２、第３の入射側偏光板１６Ｒ、１６Ｇ、１６Ｂでの光の吸収および反射は大きくなく、光源２６の光量が大きなものであっても、発熱する度合いはそれほど高いものではない。
【００１３】
（第１、第２、第３の光変調器１８Ｒ、１８Ｇ、１８Ｂ）
第１、第２、第３の光変調器１８Ｒ、１８Ｇ、１８Ｂは、分離部１４から導かれる光Ｒ、光Ｇ、光Ｂ毎に設けられている。
第１、第２、第３の光変調器１８Ｒ、１８Ｇ、１８Ｂは、第１、第２、第３の入射側偏光板１６Ｒ、１６Ｇ、１６Ｂを介して導かれる光の偏光状態を画像情報に応じて調整して透過させ、これにより、画像情報に応じて光を変調するものである。
詳細に説明すると、第１、第２、第３の光変調器１８Ｒ、１８Ｇ、１８Ｂは、赤色、緑色、青色の３色の画像情報をそれぞれ表示するものである。
第１、第２、第３の光変調器１８Ｒ、１８Ｇ、１８Ｂは、入射光に対応した色の映像信号が印加され、映像信号に従い、入射光の偏光方向を調整して透過させるものである。
言い換えると、第１、第２、第３の光変調器１８Ｒ、１８Ｇ、１８Ｂは、入射光をＳ偏光からＰ偏光に変換して変調出力するものである。
なお、第１、第２、第３の光変調器１８Ｒ、１８Ｇ、１８Ｂは入力される映像信号が白である場合（最も明るい場合）、入射光の偏光方向をＳ偏光からＰ偏光に変換して透過させる。
本実施の形態では、第１、第２、第３の光変調器１８Ｒ、１８Ｇ、１８Ｂは、透過型液晶パネルで構成されている。
【００１４】
（第１、第２、第３の出射側偏光板２２Ｒ、２２Ｇ、２２Ｂ）
第１、第２、第３の出射側偏光板２２Ｒ、２２Ｇ、２２Ｂは、第１、第２、第３の光変調器１８Ｒ、１８Ｇ、１８Ｂから出射される光Ｒ、光Ｇ、光Ｂの偏光成分のうちＰ波を透過させ、それ以外の透過を阻止すべき偏光成分を吸収するものである。
本実施の形態では、図２に示すように、第１、第２、第３の出射側偏光板２２Ｒ、２２Ｇ、２２Ｂのそれぞれは、変調器側偏光板５０と、プリズム側偏光板５２との２枚の偏光板で構成されている。
したがって、変調器側偏光板５０およびプリズム側偏光板５２は、合計３枚ずつ設けられている。
変調器側偏光板５０は、第１、第２、第３の光変調器１８Ｒ、１８Ｇ、１８Ｂに対向して配置されている。
プリズム側偏光板５２は、各変調器側偏光板５０と光合成プリズム２０との間での光合成プリズム２０の各入射面２００２、２００４、２００６に対向して配置されている。
第１、第２、第３の出射側偏光板２２Ｒ、２２Ｇ、２２Ｂは、第１、第２、第３の光変調器１８Ｒ、１８Ｇ、１８Ｂから出射された光のうちＰ波以外の偏光成分の光を吸収することで発熱する。
本実施の形態では、各出射側偏光板２２Ｒ、２２Ｇ、２２Ｂが光を吸収することで生じる発熱が変調器側偏光板５０とプリズム側偏光板５２とに分散されるため、各出射側偏光板２２Ｒ、２２Ｇ、２２Ｂの温度上昇の抑制が図られている。
各変調器側偏光板５０は、各光変調器１８Ｒ、１８Ｇ、１８Ｂとの間に空間Ｓ１を確保し、各プリズム側偏光板５２との間に空間Ｓ２を確保した状態で配置されている。
各プリズム側偏光板５２は、変調器側偏光板５０と、各光変調器１８Ｒ、１８Ｇ、１８Ｂと光合成プリズム２０の各入射面２００２、２００４、２００６との間に配置されている。
各プリズム側偏光板５２は、各入射面２００２、２００４、２００６との間に空間Ｓ３を確保した状態で配置されている。
第１、第２、第３の出射側偏光板２２Ｒ、２２Ｇ、２２Ｂを放熱させるために、空間Ｓ１、Ｓ２、Ｓ３に空気を流通させるファンなどの送風手段（不図示）を設けている。
【００１５】
（光合成プリズム２０）
光合成プリズム２０は、図２に示すように、第１、第２、第３の入射面２００２、２００４、２００６と、第１、第２のダイクロイックミラー膜２０１０、２０１２と、出射面２００８とを有している。
第１、第３の入射面２００２、２００６は平行し、第２の入射面２００４と出射面２００８とは第１、第３の入射面２００２、２００６と直交しかつ互いに平行している。
第１、第２のダイクロイックミラー膜２０１０、２０１２は、互いに直交し、かつ、第１、第２、第３の入射面２００２、２００４、２００６、出射面２００８と４５度をなして交差している。
第１の入射面２００２は、第１の光変調器１８Ｒから透過された光Ｒが入射される。
第２の入射面２００４は、第２の光変調器１８Ｇから透過された光Ｇが入射される。
第３の入射面２００６は、第３の光変調器１８Ｂから透過された光Ｂが入射される。
第１、第２のダイクロイックミラー膜２０１０、２０１２は、光Ｒ、光Ｇ、光Ｂをそれらの光の波長領域毎に反射または透過することにより合成するものである。
具体的には、第１のダイクロイックミラー膜２０１０は、Ｐ波は波長にかかわらず透過し、Ｓ波のうち赤色の波長領域の光のみ反射し、Ｓ波のうち赤色の波長領域を除く光は透過する。
第２のダイクロイックミラー膜２０１２は、Ｐ波は波長にかかわらず透過し、Ｓ波のうち青色の波長領域の光のみ反射し、Ｓ波のうち青色の波長領域を除く光は透過する。
出射面２００８は、第１、第２のダイクロイックミラー膜２０１０、２０１２によって合成された光を出射する。
本実施の形態では、第１、第２のダイクロイックミラー膜２０１０、２０１２によって
第１、第２、第３の入射面２００２、２００４、２００６に入射された第１、第２、第３の光を合成する合成部が構成されている。
【００１６】
（投射光学系２４）
投射光学系２４は、図１に示すように、光合成プリズム２０の出射面２００８から導かれた光をスクリーンＳに照射することにより、スクリーンＳに画像を形成するものである。
【００１７】
（光学ユニット５４）
次に本発明の要旨である光学ユニット５４について説明する。
図２に示すように、光学ユニット５４は、第１、第２、第３の光変調器１８Ｒ、１８Ｇ、１８Ｂと、光合成プリズム２０と、第１乃至第３の出射側偏光板２２Ｒ、２２Ｇ、２２Ｂとを備えている。
図３乃至図７、図１５、図１６に示すように、光学ユニット５４は、さらに、それら第１、第２、第３の光変調器１８Ｒ、１８Ｇ、１８Ｂ、光合成プリズム２０、第１乃至第３の出射側偏光板２２Ｒ、２２Ｇ、２２Ｂとが取り付けられる光合成部用ハウジング５６とを備えている。なお、図１５においては、出射側偏光板２２Ｒ、２２Ｇ、２２Ｂの図示を省略している。
光合成プリズム２０の第１、第２、第３の入射面２００２、２００４、２００８は矩形状を呈している。
そして、第１、第２、第３の光変調器１８Ｒ、１８Ｇ、１８Ｂおよび第１、第２、第３の出射側偏光板２２Ｒ、２２Ｇ、２２Ｂは第１、第２、第３の入射面２００２、２００４、２００８に対応した矩形板状を呈している。
【００１８】
光合成部用ハウジング５６は、図５乃至図８、図１３に示すように、プリズム用取り付け部５８と、第１、第２、第３の側枠部６０Ｒ、６０Ｇ、６０Ｂと、投射用光学系取り付け部５９とを有している。
光合成部用ハウジング５６は、各種光学部材、光学部品が高い精度で組み付けできるように硬質な材料で形成され、また、衝撃を受けた際に塑性変形しないように弾性変形可能に形成されている。本実施の形態では、光合成部用ハウジング５６は合成樹脂製である。
プリズム用取り付け部５８と第１、第２、第３の側枠部６０Ｒ、６０Ｇ、６０Ｂと、投射用光学系取り付け部５９とは一体成形されている。
投射用光学系取り付け部５９は、投射用光学系２４が取着される箇所である。
投射用光学系取り付け部５９は、プリズム用取り付け部５８に取り付けられた光合成プリズム２０の出射面２００８に対向する箇所に設けられている。
プリズム用取り付け部５８は、光合成プリズム２０が取り付けられる箇所である。
第１、第２、第３の側枠部６０Ｒ、６０Ｇ、６０Ｂは、プリズム用取り付け部５８に取り付けられた光合成プリズム２０の第１、第２、第３の入射面２００２、２００４、２００６に対向する箇所に設けられている。
なお、図６に示すように、第１、第２、第３の入射面２００２、２００４、２００６、出射面２００８は矩形状を呈し、それら面を接続する上面２０２０と下面２０２２も矩形状を呈している。
【００１９】
図８、図１０乃至図１２に示すように、第１、第２、第３の側枠部６０Ｒ、６０Ｇ、６０Ｂは、第１、第２、第３の偏光板用取り付け部６２Ｒ、６２Ｇ、６２Ｂと、第１、第２、第３の光変調器用取り付け部６４Ｒ、６４Ｇ、６４Ｂとを有している。
第１、第２、第３の偏光板用取り付け部６２Ｒ、６２Ｇ、６２Ｂは、それぞれ第１、第２、第３の入射面２００２、２００４、２００６に対向して第１、第２、第３の出射側偏光板２２Ｒ、２２Ｇ、２２Ｂが取り付けられる箇所である。
第１の光変調器用取り付け部６４Ｒは、第１の出射側偏光板２２Ｒが第１の入射面２００２に対向する面と反対に面に対向して第１の光変調器１８Ｒが取り付けられる箇所である。
第２の光変調器用取り付け部６４Ｇは、第２の出射側偏光板２２Ｇが第２の入射面２００４に対向する面と反対に面に対向して第２の光変調器１８Ｇが取り付けられる箇所である。
第３の光変調器用取り付け部６４Ｂは、第３の出射側偏光板２２Ｂが第３の入射面２００６に対向する面と反対に面に対向して第３の光変調器１８Ｂが取り付けられる箇所である。
【００２０】
第１の光変調器用取り付け部６４Ｒは、第１の出射側偏光板２２Ｒが、第１の入射面２００２に対して直交する方向から第１の光変調器用取り付け部６４Ｒを通って第１の偏光板用取り付け部６２Ｒへ挿入できるように構成されている。
第２の光変調器用取り付け部６４Ｇは、第２の出射側偏光板２２Ｇが、第２の入射面２００４に対して直交する方向から第２の光変調器用取り付け部６４Ｇを通って第２の偏光板用取り付け部６２Ｇへ挿入できるように構成されている。
第３の光変調器用取り付け部６４Ｂは、第３の出射側偏光板２２Ｂが、第３の入射面２００６に対して直交する方向から第３の光変調器用取り付け部６４Ｂを通って第３の偏光板用取り付け部６２Ｂへ挿入できるように構成されている。
ここで、第１、第２、第３の入射面２００２、２００４、２００６とは、プリズム用取り付け部５８に取り付けられた光合成プリズム２０の入射面である。
【００２１】
より詳細に説明すると、図８、図１０乃至図１２、図１４に示すように、各第１、第２、第３の光変調器用取り付け部６４Ｒ、６４Ｇ、６４Ｂは、矩形の４つの頂点に対応した箇所に設けられた４本の取り付けピン６６を含んで構成されている。
図１６に示すように、各第１、第２、第３の光変調器１８Ｒ、１８Ｇ、１８Ｂは、各第１、第２、第３の光変調器用取り付け部６４Ｒ、６４Ｇ、６４Ｂの４本の取り付けピン６６が取り付け孔１８０２に挿入され、６軸方向に位置合わせされて取り付けられる。
したがって、第１、第２、第３の光変調器用取り付け部６４Ｒ、６４Ｇ、６４Ｂは、第１、第２、第３の光変調器１８Ｒ、１８Ｇ、１８Ｂの四隅を取り付けるように構成されている。
この第１、第２、第３の光変調器１８Ｒ、１８Ｇ、１８Ｂの取り付けは、第１、第２、第３の出射側偏光板２２Ｒ、２２Ｇ、２２Ｂの取り付け後に行われる。
なお、図１０乃至図１２に示すように、４本の取り付けピン６６の内側に開口６８が形成されている。
開口６８は、入射面２００２、２００４、２００６に対して直交する方向からかつ入射面２００２、２００４、２００６と平行状態を保ちつつ出射側偏光板２２Ｒ、２２Ｇ、２２Ｂを通過させるためのものである。
【００２２】
図３、図１６に示すように、第１、第２、第３の光変調器１８Ｒ、１８Ｇ、１８Ｂは、光合成用プリズムの第１、第２、第３の入射面２００２、２００４、２００６に対応した矩形状を呈している。
第１、第２、第３の光変調器１８Ｒ、１８Ｇ、１８Ｂの４辺のうちの１辺からそれら第１、第２、第３の変調器１８Ｒ、１８Ｇ、１８Ｂに接続されたフレキシブルプリント基板７０が突設されている。
フレキシブルプリント基板７０が光合成用プリズム２０の上面２０２０に位置するように第１、第２、第３の光変調器１８Ｒ、１８Ｇ、１８Ｂが第１、第２、第３の光変調器用取り付け部６４Ｒ、６４Ｇ、６４Ｂに取り付けられる。
【００２３】
図１０乃至図１２、図１７、図１８に示すように、第１、第２、第３の偏光板用取り付け部６２Ｒ、６２Ｇ、６２Ｂは、取り付け面７２と、ガイド部７４と、取り出し口７６とを備えている。
第１、第２、第３の出射側偏光板２２Ｒ、２２Ｇ、２２Ｂは、光合成用プリズムの第１、第２、第３の入射面２００２、２００４、２００６に対応した矩形状を呈している。
図１０乃至図１２、図１４に示すように、第１、第２、第３の偏光板用取り付け部６２Ｒ、６２Ｇ、６２Ｂは、第１、第２、第３の出射側偏光板２２Ｒ、２２Ｇ、２２Ｂの４辺に対応した４つの側部６５を有している。
取り付け面７２は、第１、第２、第３の出射側偏光板２２Ｒ、２２Ｇ、２２Ｂの対向する２辺を接着するように４つの側部のうちの２つの側部６５に設けられている。
取り付け面７２は第１、第２、第３の出射側偏光板２２Ｒ、２２Ｇ、２２Ｂの辺に沿って延在している。
取り付け面７２は、第１、第２、第３の出射側偏光板２２Ｒ、２２Ｇ、２２Ｂが粘着剤を介して接着される箇所である。
本実施の形態では、第１、第２、第３の出射側偏光板２２Ｒ、２２Ｇ、２２Ｂの対向する２辺に取着された粘着テープが取り付け面７２に接着される。
なお、第１、第２、第３の光変調器１８Ｒ、１８Ｇ、１８Ｂおよび第１、第２、第３の出射側偏光板２２Ｒ、２２Ｇ、２２Ｂは、それらの四辺を光合成用プリズムの第１、第２、第３の入射面２００２、２００４、２００６の四辺に平行させて配置されている。
【００２４】
図２１に示すように、ガイド部７４は、取り付け面７２に取り付けられた第１、第２、第３の出射側偏光板２２Ｒ、２２Ｇ、２２Ｂと取り付け面７２との間に治具Ｇを挿入するためのものである。そして、ガイド部７４は、それら第１、第２、第３の出射側偏光板２２Ｒ、２２Ｇ、２２Ｂを取り付け面７２から剥がすためのものである。ここで治具Ｇにはピンセットなどが用いられる。
ガイド部７４は、取り付け面７２の延在方向の下面２０２２寄りの端部に設けられている。
ガイド部７４は、取り付け面７２の延在方向で仮想延長上を行くに従って取り付け面７２の仮想延長面から次第に離れる方向に変位する傾斜面７４０２で形成されている。
なお、取り付け面７２の延在方向の上面２０２０寄りの端部に、開口部７３が設けられている。開口部７３は、第１、第２、第３の出射側偏光板２２Ｒ、２２Ｇ、２２Ｂと取り付け面７２との間に治具Ｇを挿入しそれら第１、第２、第３の出射側偏光板２２Ｒ、２２Ｇ、２２Ｂを取り付け面７２から剥がすためのものである。本実施の形態では、開口部７３の下位に、治具の操作を容易にするための傾斜面７３０２が形成されている。
また、取り付け面７２の延在方向の上面２０２０寄りの端部に、第１、第２、第３の出射側偏光板２２Ｒ、２２Ｇ、２２Ｂの辺に当接してそれら第１、第２、第３の出射側偏光板２２Ｒ、２２Ｇ、２２Ｂの位置決めを行なう位置決め部７５が設けられている。
また、ガイド部７４の形状は、ピンセットなどの治具が挿入されるように、第１、第２、第３の出射側偏光板２２Ｒ、２２Ｇ、２２Ｂの端部に対向する凹部であってもよく、傾斜面に限定されない。
【００２５】
図１４、図１５に示すように、取り出し口７６は、剥がされた第１、第２、第３の出射側偏光板２２Ｒ、２２Ｇ、２２Ｂを取り出すためのものである。
すなわち、剥がされた第１、第２、第３の出射側偏光板２２Ｒ、２２Ｇ、２２Ｂの取り出しは、プリズム用取り付け部５８に取り付けられた光合成プリズム２０の第１、第２、第３の入射面２００２、２００４、２００６に対して平行する方向からなされる。
ガイド部７４と取り出し口７６は、取り付け面７２が設けられた２つの側部６５を接続する１つの同じ側部６５に設けられている。
ガイド部７４と取り出し口７６とが設けられた１つの側部６５は、下面２０２２の３辺に沿った側部である。
【００２６】
上述のように第１、第２、第３の出射側偏光板２２Ｒ、２２Ｇ、２２Ｂは、第１、第２、第３のプリズム側偏光板５２と、第１、第２、第３の変調器側偏光板５０との２枚の偏光板で構成されている。
そして第１、第２、第３の偏光板用取り付け部６２Ｒ、６２Ｇ、６２Ｂは、それぞれ取り付け面７２、ガイド部７４、取り出し口７６とからなるプリズム側偏光板用取り付け部８０と変調器側偏光板用取り付け部８２とを有している（図１０〜図１２、図１９参照）。
プリズム側偏光板５０と変調器側偏光板５２とは同形同大の長方形で形成されている。
第１、第２、第３の偏光板用取り付け部６２Ｒ、６２Ｇ、６２Ｂのプリズム側偏光板取り付け部８０と変調器側偏光板取り付け部８２において、プリズム側偏光板５２と変調器側偏光板５０とは長方形の長辺方向を９０度回転させた状態で取り付けられる（図２０）。
このようにプリズム側偏光板５０と変調器側偏光板５２とを同形同大の長方形で形成すると、それら偏光板を構成する光学部材の製造コストを低減する上で有利となる。
本実施の形態では、光合成プリズム２０の第１、第２、第３の入射面２００２、２００４、２００６から直交する方向から第１、第２、第３の光変調器１８Ｒ、１８Ｇ、１８Ｂを見た場合に、取り付け面７２は次のように配置される。
すなわち、図２０に示すように、第１、第２、第３の変調器側偏光板取り付け部（偏光板用取り付け部）８２の取り付け面７２は、第１、第２、第３の光変調器１８Ｒ、１８Ｇ、１８Ｂの外側に露出するように配置される。
【００２７】
次に光学ユニット５４の組み立てについて説明する。
まず、治具を用いて光合成プリズム２０の位置決めを行い、紫外線硬化型接着剤を用いて光合成プリズム２０の下面２０２２をプリズム用取り付け部５８に接着し、これにより光合成プリズム２０を光合成部用ハウジング５６に組み付ける。
次いで、第１、第２、第３の出射側偏光板２２Ｒ、２２Ｇ、２２Ｂを光合成部用ハウジング５６に組み付ける。
図１９に示すように、対向する２辺に粘着テープが接着された出射側偏光板２２Ｒ、２２Ｇ、２２Ｂを傾斜させ、出射側偏光板２２Ｒ、２２Ｇ、２２Ｂの一辺から開口６８に挿入して位置決め部７５に当て付けて位置決めする。
その状態を保持しつつ、出射側偏光板２２Ｒ、２２Ｇ、２２Ｂの粘着テープが接着された２辺を取り付け面７２上に載置し、出射側偏光板２２Ｒ、２２Ｇ、２２Ｂを取り付け面７２に向けて加圧して接着する。
これにより、第１、第２、第３の出射側偏光板２２Ｒ、２２Ｇ、２２Ｂは、第１、第２、第３の偏光板用取り付け部６２Ｒ、６２Ｇ、６２Ｂにそれぞれ取り付けられる。
すなわち、第１、第２、第３のプリズム側偏光板５２は、プリズム側偏光板用取り付け部８０に取り付けられ、第１、第２、第３の変調器側偏光板５０は、変調器側偏光板用取り付け部８２に取り付けられる。
【００２８】
次に、投射光学系２４を光合成部用ハウジング５６の投射用光学系取り付け部５９にねじを介して取り付ける。
次に、第１、第２、第３の光変調器１８Ｒ、１８Ｇ、１８Ｂを光合成部用ハウジング５６に組み付ける。
すなわち、各光変調器１８Ｒ、１８Ｇ、１８Ｂの取り付け孔１８０２に光合成部用ハウジング５６の取り付けピン６６を挿入し、治具を用いて各光変調器１８Ｒ、１８Ｇ、１８Ｂを投射光学系２４の光軸を基準として６軸方向に位置合わせする。
位置決めがなされたならば、取り付けピン６６と取り付け孔１８０２との間に紫外線硬化型接着剤を充填し、この紫外線硬化型接着剤に紫外線を照射して硬化させる。
これにより、光学ユニット５４の組み立てが完了する。
【００２９】
次に、光学ユニット５４に組みつけられている第１、第２、第３の出射側偏光板２２Ｒ、２２Ｇ、２２Ｂが劣化したため、新たな第１、第２、第３の出射側偏光板２２Ｒ、２２Ｇ、２２Ｂと交換する場合の作業について説明する。
まず、出射側偏光板２２Ｒ、２２Ｇ、２２Ｂを光合成部用ハウジング５６から取り外す。
図２１に示すように、ガイド部７４を介して取り付け面７２に取り付けられた第１、第２、第３の出射側偏光板２２Ｒ、２２Ｇ、２２Ｂと取り付け面７２との間に治具Ｇを挿入する。
この際、ガイド部７４に形成された傾斜面７４０２に沿って治具Ｇを挿入できるため、操作が容易となる。
治具Ｇがガイド部７４に当接する箇所を支点として治具Ｇをテコにして出射側偏光板２２Ｒ、２２Ｇ、２２Ｂを取り付け面７２から剥がす。
さらに、治具Ｇを開口部７３から挿入し、治具Ｇが傾斜面７３０２に当接する箇所を支点として治具Ｇをテコにして出射側偏光板２２Ｒ、２２Ｇ、２２Ｂを取り付け面７２から剥がす。
出射側偏光板２２Ｒ、２２Ｇ、２２Ｂが取り付け面７２から剥がれたならば、剥がされた第１、第２、第３の出射側偏光板２２Ｒ、２２Ｇ、２２Ｂを取り出し口７６から取り出す。
この際、傾斜面７４０２は、取り付け面７２の延在方向で仮想延長上を行くに従って取り付け面７２の仮想延長面から次第に離れる方向に変位している。
そのため、出射側偏光板２２Ｒ、２２Ｇ、２２Ｂに付着している粘着テープがガイド部７４に誤って接着しないように、粘着テープを傾斜面７４０２から容易にかつ確実に離間させることができ、作業性の向上が図られている。
【００３０】
次に、新たな第１、第２、第３の出射側偏光板２２Ｒ、２２Ｇ、２２Ｂを光学ユニット５４に組みつける。
この場合、対向する２辺に粘着テープが接着された出射側偏光板２２Ｒ、２２Ｇ、２２Ｂを取り出し口７６から位置決め部７５に向けて挿入し、出射側偏光板２２Ｒ、２２Ｇ、２２Ｂの一辺を位置決め部７５に当て付けて位置決めする。
その状態を保持しつつ、出射側偏光板２２Ｒ、２２Ｇ、２２Ｂの粘着テープが接着された２辺を取り付け面７２上に載置し、出射側偏光板２２Ｒ、２２Ｇ、２２Ｂを取り付け面７２に向けて加圧して接着する。
これにより、第１、第２、第３の出射側偏光板２２Ｒ、２２Ｇ、２２Ｂは、第１、第２、第３の偏光板用取り付け部６２Ｒ、６２Ｇ、６２Ｂにそれぞれ取り付けられる。
すなわち、第１、第２、第３のプリズム側偏光板５２は、プリズム側偏光板用取り付け部８０に取り付けられ、第１、第２、第３の変調器側偏光板５０は、変調器側偏光板用取り付け部８２に取り付けられる。
なお、図２０に示すように、第１、第２、第３の変調器側偏光板取り付け部（偏光板用取り付け部）８２の取り付け面７２は、第１、第２、第３の光変調器１８Ｒ、１８Ｇ、１８Ｂの外側に露出している。
したがって、露出している第１、第２、第３の変調器側偏光板取り付け部８２の取り付け面７２の上に位置する第１、第２、第３の変調器側偏光板５０の箇所を治具Ｇを用いて取り付け面７２に向けて加圧することができる。これにより、第１、第２、第３の変調器側偏光板５０の接着を簡単かつ確実に行う上でより有利となる。
【００３１】
本実施の形態によれば、第１、第２、第３の出射側偏光板２２Ｒ、２２Ｇ、２２Ｂの取り付け面７２からの取り外しと取り付け面７２への接着を行うためのガイド部７４と取り出し口７６を光合成部用ハウジング５６に設けた。
したがって、第１、第２、第３の光変調器１８Ｒ、１８Ｇ、１８Ｂを光合成部用ハウジング５６から取り外すことなく、第１、第２、第３の出射側偏光板２２Ｒ、２２Ｇ、２２Ｂの光合成部用ハウジング５６に対する交換を行うことができる。
そのため、従来のバネ部材を用いて出射側偏光板を組み付ける構成に比較して小型化、低コスト化を図れることは無論のこと、出射側偏光板の交換作業の簡単化を図る上で有利となる。
【００３２】
なお、実施の形態では、各出射側偏光板２２Ｒ、２２Ｇ、２２Ｂの取り付け面７２への取り付けに際して、粘着剤を用いる場合について説明したが、接着剤を用いてもよく本実施の形態と同様の効果が得られることは無論である。
また、実施の形態では、各出射側偏光板２２Ｒ、２２Ｇ、２２Ｂのそれぞれが２枚で構成されている場合について説明したが、各出射側偏光板がそれぞれ１枚で構成されていても、あるいは、３枚で構成されていても本発明は無論適用可能である。
また、各出射側偏光板を構成するプリズム側偏光板５２と、変調器側偏光板５０との２枚の偏光板が同形同大の長方形で形成されている場合について説明したが、２枚の偏光板が同形同大の長方形でなくても同様な効果を得られる。
また、偏光板の交換方向は、天地逆の方向でも本発明は実施可能である。
また、剥がす時の治具は、例として、ピンセットとしたが、剥がすための部材であれば、他のものでも良く、ピンセットに限定しない。
【符号の説明】
【００３３】
１０……プロジェクタ装置、１８Ｒ、１８Ｇ、１８Ｂ……第１、第２、第３の光変調器、２０……光合成プリズム、２２Ｒ、２２Ｇ、２２Ｂ……第１、第２、第３の出射側偏光板、５４……光学ユニット、５６……光合成部用ハウジング、６０Ｒ、６０Ｇ、６０Ｂ……第１、第２、第３の側枠部、６２Ｒ、６２Ｇ、６２Ｂ……第１、第２、第３の偏光板用取り付け部、６４Ｒ、６４Ｇ、６４Ｂ……第１、第２、第３の光変調器用取り付け部、７２……取り付け面、７４……ガイド部、７６……取り出し口。
【図１】
2010211159.tif 000003
【図２】
2010211159.tif 000004
【図３】
2010211159.tif 000005
【図４】
2010211159.tif 000006
【図５】
2010211159.tif 000007
【図６】
2010211159.tif 000008
【図７】
2010211159.tif 000009
【図８】
2010211159.tif 000010
【図９】
2010211159.tif 000011
【図１０】
2010211159.tif 000012
【図１１】
2010211159.tif 000013
【図１２】
2010211159.tif 000014
【図１３】
2010211159.tif 000015
【図１４】
2010211159.tif 000016
【図１５】
2010211159.tif 000017
【図１６】
2010211159.tif 000018
【図１７】
2010211159.tif 000019
【図１８】
2010211159.tif 000020
【図１９】
2010211159.tif 000021
【図２０】
2010211159.tif 000022
【図２１】
2010211159.tif 000023